(57)【特許請求の範囲】
【請求項１】
予め設定された時刻になると鳴動信号を出力するタイマ部を備えた時計本体と、前記鳴動信号を受け取ると鳴動する鳴動部と、該鳴動部の鳴動の停止を指示する停止指示スイッチと、光源を備えた灯具と、該灯具を点灯消灯する点灯消灯スイッチと、を有する目覚時計付スタンド照明装置において、
操作がなされると点灯信号を出力し該操作が終了すると消灯信号を出力する前記停止指示スイッチと兼用した照明スイッチと、
該照明スイッチに接続され、前記点灯信号を受け取ると前記灯具を点灯させ、前記消灯信号を受け取ると該消灯信号を受け取ってから一定時間が経過するまで灯具を点灯させておき、該一定時間の経過後に灯具を消灯させる点灯制御手段と、
該点灯制御手段に接続された前記灯具を調光点灯する調光制御手段と、
を設け、前記点灯制御手段は、前記点灯信号を受け取ると前記調光制御手段によって灯具を調光点灯させることを特徴とする目覚時計付スタンド照明装置。
【請求項２】
前記灯具は、前記鳴動部が鳴動する場合に、該鳴動に合わせて点灯することを特徴とする請求項１記載の目覚時計付スタンド照明装置。
【発明の詳細な説明】
【０００１】
【発明の属する技術分野】
本発明は、予め設定された時刻になると鳴動する目覚時計であって、灯具を具備する目覚時計付スタンド照明装置に関する。
【０００２】
【従来の技術】
従来の目覚時計付スタンド照明装置を図４、図５を用いて説明する。図４は目覚時計の外観を示す斜視図である。図５は目覚時計付スタンド照明装置の外観を示す斜視図である。
【０００３】
図４において目覚時計１は、使用者が予め設定した時刻に鳴動する図外の鳴動部を有している。そして該鳴動を停止させる停止指示スイッチ２が押下し易い位置である目覚時計１の筐体３の上面に配設してある。ところで、目覚時計１は必ずしも明るい場所で使用されるものではなく、夜間に暗闇のなかで時刻を確認したり、鳴動の設定時刻の確認をしたりといった使用をされることもある。そこで、目覚時計１では、時計文字盤付近に小型の発光部４が配設されている。よって、操作者は点灯スイッチ５を押下して発光部４を点灯させて、該明かりによって時刻等を確認することができる。
【０００４】
しかしながら、この目覚時計にあっては、発光部４は文字盤付近に配設するものであるから小型であって十分な明るさでない場合があり、時計の表示を読み取りにくい場合があった。
【０００５】
そこで他の従来の技術としては、図５に示すように、電気スタンド６と目覚時計７とを組み合わせたものがある。電気スタンド６は点灯消灯スイッチ８が操作される毎に点灯と消灯とを繰り返すようになされている。従ってこのものにあっては、暗闇中における時刻の確認等の場合には、点灯消灯スイッチ８を操作して電気スタンド６を点灯させることにより行うことができる。
【０００６】
そして、この目覚時計付スタンド照明装置にあっては、電気スタンド６が点灯すると十分に明るいものであるから、時計の表示は読み取りやすいものとなっている。
【０００７】
【発明が解決しようとする課題】
しかしながら、後者の目覚時計付スタンド照明装置にあっては、暗闇中で時刻を確認する場合には、点灯消灯スイッチ８を操作して電気スタンド６を点灯させて時刻を確認等した後、再度点灯消灯スイッチ８を操作して電気スタンド６を消灯させなければならない。従って、時刻の確認等のための操作に手間を要するという問題点があった。
【０００８】
本発明は、上記問題点を改善するために成されたもので、その目的とするところは、時刻等の確認の操作に手間を要しない目覚時計付スタンド照明装置を提供することにある。
【０００９】
【課題を解決するための手段】
本発明は上記の問題を解決するために、請求項１記載の発明にあっては、予め設定された時刻になると鳴動信号を出力するタイマ部を備えた時計本体と、前記鳴動信号を受け取ると鳴動する鳴動部と、該鳴動部の鳴動の停止を指示する停止指示スイッチと、光源を備えた灯具と、該灯具を点灯消灯する点灯消灯スイッチと、を有する目覚時計付スタンド照明装置において、操作がなされると点灯信号を出力し該操作が終了すると消灯信号を出力する前記停止指示スイッチと兼用した照明スイッチと、該照明スイッチに接続され、前記点灯信号を受け取ると前記灯具を点灯させ、前記消灯信号を受け取ると該消灯信号を受け取ってから一定時間が経過するまで灯具を点灯させておき、該一定時間の経過後に灯具を消灯させる点灯制御手段と、該点灯制御手段に接続された前記灯具を調光点灯する調光制御手段と、を設け、前記点灯制御手段は、前記点灯信号を受け取ると前記調光制御手段によって灯具を調光点灯させることを特徴とするものである。
【００１０】
請求項２記載の発明にあっては、前記灯具は、前記鳴動部が鳴動する場合に、該鳴動に合わせて点灯することを特徴とするものである。
【００１３】
【発明の実施の形態】
本発明の実施の形態を図１乃至図３を用いて説明する。図１は目覚時計付スタンド照明装置の構成を示すブロック図である。図２は目覚時計付スタンド照明装置の外観を示す斜視図である。図３は目覚時計付スタンド照明装置の操作部の平面図である。
【００１４】
図１，図２において、目覚時計付スタンド照明装置は、時計本体９、鳴動部１０、灯具に相当する電気スタンド１１、操作部１２、点灯制御手段１３、調光制御手段１４、を有して構成してある。点灯制御手段１３と調光制御手段１４とは、時計本体９に内設したプリント基板１５上に構成されている。
【００１５】
時計本体９は、大略箱体の筐体９ａと該筐体９ａの下部に設けてある大略板体の基台９ｂとを有している。そして筐体９ａの正面に時計９ｃが配設されており、該時計９ｃの文字盤９ｄを囲むようにして円環状の時刻設定リング９ｅが文字盤９ｄに対して回動自在に取り付けてある。時刻設定リング９ｅは、鳴動部１０の鳴動する時刻を設定するものである。
【００１６】
時計本体９はタイマ部９ｆを有しており、該タイマ部９ｆは、タイマセット状態とアンセット状態との２つの状態を有しており、タイマセット状態のときに、現在時刻が前記時刻設定リング９ｅによって設定した時刻と一致すると、鳴動信号Ｓ１を鳴動部１０に出力し、更に調光信号Ｓ７を調光制御手段１４に出力する。
【００１７】
鳴動部１０は該鳴動信号Ｓ１を受け取ると鳴動し、後述の鳴動停止信号Ｓ２を受け取ると鳴動を停止するものである。
【００１８】
電気スタンド１１は、時計本体９の上面に設けられたアーム１１ａと、アーム１１ａの先端に設けられた光源１１ｂとを有しており、調光制御手段１４により調光点灯するものである。
【００１９】
操作部１２は基台９ｂの上面に設けられており、図３に示すように、調光増加スイッチ１２ａ、調光減少スイッチ１２ｂ、点灯消灯スイッチ１２ｃ、タイマセットスイッチ１２ｄ、照明スイッチに相当する停止指示スイッチ１２ｅを有している。
【００２０】
調光増加スイッチ１２ａは、調光点灯状態にある電気スタンド１１に調光出力を増加させる指示を与える押釦スイッチであり、調光減少スイッチ１２ｂは調光点灯状態にある電気スタンド１１に調光出力を減少させる指示を与える押釦スイッチである。
【００２１】
点灯消灯スイッチ１２ｃは、電気スタンド１１に点灯消灯の指示を与える押釦スイッチである。
【００２２】
タイマセットスイッチ１２ｄは、タイマ部９ｆのタイマセット状態とアンセット状態とを切り替えるスライドスイッチである。タイマセットスイッチ１２ｄは、他のスイッチのように押圧して操作するものではなく、ツマミ部をスライドさせるものであるため、誤操作がなされにくいものとなっている。
【００２３】
停止指示スイッチ１２ｅは、鳴動部１０の鳴動動作中に、該鳴動の停止を指示する押釦スイッチであって、該鳴動中に押圧されると鳴動停止信号Ｓ２を鳴動部１０に出力する。停止指示スイッチ１２ｅは、例えば朝の鳴動時等に操作されても確実に押圧され鳴動を停止できるように、他のスイッチより大きくしてあり押下し易いものとなしている。
【００２４】
また、停止指示スイッチ１２ｅは、鳴動部１０の鳴動動作時以外のときにあっては、押圧操作されると点灯制御手段１３に点灯信号Ｓ３を出力し、押圧から解放されると消灯信号Ｓ４を出力する。
【００２５】
点灯制御手段１３は、点灯信号Ｓ３を受け取ると所定の調光信号Ｓ５を調光制御手段１４に出力し、消灯信号Ｓ４を受け取ると、該消灯信号Ｓ４を受け取った時点から一定時間が経過するまで調光信号Ｓ５の出力を継続して、一定時間経過後に消灯信号Ｓ６を出力する。本実施の形態では調光信号Ｓ５は、最も明るい場合の５０％の調光出力となるように電気スタンド１１を点灯させるものとしている。
【００２６】
調光制御手段１４は、調光信号Ｓ５を受け取ると、電気スタンド１１を調光点灯し、消灯信号Ｓ６を受け取ると電気スタンド１１を消灯するものである。また、調光制御手段１４はタイマ部９ｆから調光信号Ｓ７を受け取ると、最大の調光出力となるように電気スタンド１１を調光点灯させる。
【００２７】
以上のようにして構成した目覚時計付スタンド照明装置には、以下のように動作する。
【００２８】
まず、使用者が時刻設定リング９ｅでもって鳴動時刻を例えば午前６時に設定してタイマセットスイッチ１２ｄでタイマ部９ｆをタイマセット状態にする。
【００２９】
その後、現在時刻が午前６時になると、タイマ部９ｆは鳴動信号Ｓ１を鳴動部１０に出力し、調光信号Ｓ７を調光制御手段１４に出力する。そして、鳴動部１０が鳴動し、電気スタンド１１が最大の調光出力で調光点灯する。
【００３０】
従って、使用者は鳴動音と明かりとによってより確実に設定時刻である午前６時になったことを知り目覚めることができ、使用者が停止指示スイッチ１２ｅを押圧操作すると、停止指示スイッチ１２ｅは鳴動部１０に鳴動停止信号Ｓ２を出力し、鳴動部１０は鳴動を停止する。
【００３１】
次に、夜間の暗闇のなかで時刻等の確認をする際の動作について説明する。使用者が時刻を確認しようとして停止指示スイッチ１２ｅを押圧すると、停止指示スイッチ１２ｅは点灯信号Ｓ３を点灯制御手段１３に出力し、点灯制御手段１３は調光信号Ｓ５を調光制御手段１４に出力する。そして、調光制御手段１４は電気スタンド１１を５０パーセントの調光出力でもって調光点灯させる。電気スタンド１１が調光点灯されることにより使用者は時計９ｃを目視することができ、また電気スタンド１１は５０パーセントの調光出力でもって調光点灯しているので、使用者はさほど眩しいと感ずることもない。そして、使用者が停止指示スイッチ１２ｅの押圧を解放すると、停止指示スイッチ１２ｅは消灯信号Ｓ４を出力する。点灯制御手段１３は消灯信号Ｓ５を受け取ると、消灯信号Ｓ４を受け取った時点から一定時間が経過するまで調光信号Ｓ５の出力を継続して、一定時間経過後に消灯信号Ｓ６を出力する。調光制御手段１４は消灯信号Ｓ６を受け取ると電気スタンド１１を消灯する。
【００３２】
従って、使用者は押しやすいように大きくなされた停止指示スイッチ１２ｅを押下することによって時刻等の確認をすることができる。また、時刻等の確認のために電気スタンド１１を一時的に調光点灯させる専用のスイッチを設ける場合に較べると、停止指示スイッチ１２ｅに兼用した場合のほうが、押し間違いがなく、スイッチ配設面積を小さいものとすることができるという利点がある。
【００３３】
また、使用者が停止指示スイッチ１２ｅを解放しても一定時間は電気スタンド１１が調光点灯されているので、使用者は時間の確認等をする間中ずっと停止指示スイッチ１２ｅを押圧している必要がなく、操作しよいものとなっている。
【００３４】
なお、本実施の形態では、鳴動部１０の鳴動中に使用者が停止指示スイッチ１２ｅを押圧操作すると、鳴動部１０の鳴動動作のみ停止して、電気スタンド１１は消灯しないものとして説明しているが、鳴動動作の停止と同時に消灯するようにしてもよく、また、鳴動動作の停止の後所定時間経過後に消灯するようにしてもよい。このようすると、使用者は別途電気スタンド１１を消灯させる操作をする手間が省けるという利点がある。
【００３５】
【発明の効果】
本発明の目覚時計付スタンド照明装置は上述のように構成してあるから、請求項１記載の発明にあっては、照明スイッチは操作がなされると点灯信号を出力し操作が終了すると消灯信号を出力し、点灯制御手段は、該点灯信号を受け取ると前記発光部を点灯させ、前記消灯信号を受け取ると一定時間が経過するまで発光部を点灯させておき、該一定時間経過後に発光部を消灯させるので、使用者は時間の確認等の間中照明スイッチを押圧している必要がなく、照明スイッチを一度押圧して解放するだけでよいから、操作に手間を要しないという効果を奏する。
【００３６】
また、照明スイッチは停止指示スイッチと兼用であるから、照明スイッチと停止指示スイッチと別個のものとして構成した場合にくらべて押し間違いがなく、またスイッチ配設面積を小さいものとすることができるという効果を奏する。
【００３７】
さらに、点灯制御手段は、前記点灯信号を受け取ると、該調光制御手段によって前記発光部を調光点灯させるから、暗闇の中で調光点灯させた場合であっても、使用者はさほど眩しいと感ずることなく時間等の確認をすることができるという効果を奏する。
【００３８】
請求項２記載の発明にあっては、請求項１に記載の発明の効果に加えて、前記発光部は前記鳴動部の鳴動に合わせて点灯するので、使用者は鳴動音と明かりとによって、より確実に設定時刻になったことを知り目覚めることができるという
効果を奏する。
【図面の簡単な説明】
【図１】本発明の目覚時計付スタンド照明装置の構成を示すブロック図である。
【図２】目覚時計付スタンド照明装置の外観を示す斜視図である。
【図３】目覚時計付スタンド照明装置の操作部の平面図である。
【図４】従来の技術の目覚時計の外観を示す斜視図である。
【図５】目覚時計付スタンド照明装置の外観を示す斜視図である。
【符号の説明】
９      時計本体
９ｅ    タイマ部
１０    鳴動部
１１    灯具
１２ｅ  照明スイッチ
１３    点灯制御手段
１４    調光制御手段
【図１】
0003807031.tif 000002
【図２】
0003807031.tif 000003
【図３】
0003807031.tif 000004
【図４】
0003807031.tif 000005
【図５】
0003807031.tif 000006